【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
モバイルデバイスにおいて、
屋内環境に対応するメッセージを受信することと、前記メッセージは、前記屋内環境内または前記屋内環境からしきい値距離内にプロビジョニングされる送信デバイスによってブロードキャストされており、複数のモバイルデバイスによって使用されるための段階的測位支援データ（段階的ＰＡＤ）を備える、
前記メッセージから前記段階的ＰＡＤの特定の部分にアクセスすることと、
前記段階的ＰＡＤの前記特定の部分に、少なくとも部分的に、基づいて前記モバイルデバイスによって、少なくとも部分的に、実行される測位機能に影響を与えることと、
を備える方法。
【請求項２】
前記段階的ＰＡＤは、少なくとも第１の段階の測位支援データと第２の段階の測位支援データとを備え、前記特定の部分は、少なくとも前記第１の段階の測位支援データを備える、請求項１に記載の方法。
【請求項３】
前記特定の部分は、前記第２の段階の測位支援データをさらに備える、請求項２に記載の方法。
【請求項４】
前記段階的ＰＡＤは、複数の異なる段階の測位支援データを備え、前記特定の部分は、前記複数の異なる段階の測位支援データのうちのどれが前記測位機能に適用されるかに関する決定に、少なくとも部分的に、基づいている、請求項１に記載の方法。
【請求項５】
前記モバイルデバイスにおいて、
前記メッセージを受信したことに応答して、前記測位機能に対応するワイヤレス信号受信較正プロセスを開始すること、をさらに備える、請求項１に記載の方法。
【請求項６】
前記ワイヤレス信号受信較正プロセスは、前記メッセージおよび／または前記送信デバイスによってブロードキャストされる１つもしくは複数の後続の信号に、少なくとも部分的に、基づいている、請求項５に記載の方法。
【請求項７】
モバイルデバイスにおいて使用される装置であって、
屋内環境に対応するメッセージを受信するための手段と、前記メッセージは、前記屋内環境内または前記屋内環境からしきい値距離内にプロビジョニングされる送信デバイスによってブロードキャストされており、複数のモバイルデバイスによって使用される段階的測位支援データ（段階的ＰＡＤ）を備える、
前記メッセージから前記段階的ＰＡＤの特定の部分にアクセスするための手段と、
前記段階的ＰＡＤの前記特定の部分に、少なくとも部分的に、基づいて前記モバイルデバイスによって、少なくとも部分的に、実行される測位機能に影響を与えるための手段と、
を備える、装置。
【請求項８】
前記段階的ＰＡＤは、少なくとも第１の段階の測位支援データと第２の段階の測位支援データとを備え、前記特定の部分は、少なくとも前記第１の段階の測位支援データを備える、請求項７に記載の装置。
【請求項９】
コンピューティングプラットフォームにおいて、
屋内環境に対応する段階的測位支援データ（段階的ＰＡＤ）を生成することと、前記段階的ＰＡＤは少なくとも、
（１）第１のモバイルデバイスが前記屋内環境に位置する間少なくとも前記第１のモバイルデバイスの第１の測位機能、および、第２のモバイルデバイスが前記屋内環境に位置する間少なくとも前記第２のモバイルデバイスの第２の測位機能、に影響を与える第１の段階の測位支援データと、
（２）前記第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示し、
前記屋内環境内または前記屋内環境からしきい値距離内にプロビジョニングされた送信デバイスによって第１のモバイルデバイスおよび第２のモバイルデバイスに送信するための前記段階的ＰＡＤを備える、メッセージの少なくとも一部分を生成することと、
を備える方法。
【請求項１０】
前記メッセージ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項１３または請求項２に記載の方法。
【請求項１１】
前記第１の段階の測位支援データの少なくとも一部分は、（１）前記屋内環境内に位置する１つ又は複数のモバイルデバイスにワイヤレス信号を送信することができる少なくとも１つのワイヤレス信号送信デバイス、および（２）前記少なくとも１つのワイヤレス信号送信デバイスのロケーション、を示している、請求項１３または請求項２に記載の方法。
【請求項１２】
前記第２の段階の測位支援データの少なくとも一部分は、前記屋内環境の少なくとも一部分に対応するワイヤレス信号伝搬関連パラメータを示している、請求項１３または請求項２に記載の方法。
【請求項１３】
前記段階的ＰＡＤは、第３のモバイルデバイスが前記屋内環境に位置する間少なくとも前記第３のモバイルデバイスの第３の測位機能に影響を与える第３の段階の測位支援データをさらに示し、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項１３または請求項２に記載の方法。
【請求項１４】
屋内環境に対応する段階的測位支援データ（段階的ＰＡＤ）を生成するための手段と、前記段階的ＰＡＤは少なくとも、
（１）第１のモバイルデバイスが前記屋内環境に位置する間少なくとも前記第１のモバイルデバイスの第１の測位機能、および、第２のモバイルデバイスが前記屋内環境に位置する間少なくとも前記第２のモバイルデバイスの第２の測位機能、に影響を与える第１の段階の測位支援データと、
（２）前記第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示し、
前記屋内環境内または前記屋内環境からしきい値距離内にプロビジョニングされた送信デバイスによって第１のモバイルデバイスおよび第２のモバイルデバイスに送信するための前記段階的ＰＡＤを備えるメッセージの少なくとも一部分を生成するための手段と、
を備える装置。
【請求項１５】
請求項１〜６または９〜１３のうちの１つに従った方法を実行するように、電子デバイスの処理ユニットによって実行可能である、コンピュータ実装可能命令を記憶した非一時的コンピュータ可読媒体、
を備える物品。
【手続補正２】
【補正対象書類名】明細書
【補正対象項目名】００９９
【補正方法】変更
【補正の内容】
【００９９】
[00103]  したがって、特許請求する主題は、開示した特定の例に限定されず、そのような特許請求する主題は、添付の特許請求の範囲の範囲内に入るすべての態様、およびその均等物をも含むものとする。
以下に本願発明の当初の特許請求の範囲に記載された発明を付記する。
［Ｃ１］
モバイルデバイスにおいて、
屋内環境に対応するメッセージを受信することと、前記メッセージは、前記屋内環境内または前記屋内環境からしきい値距離内にプロビジョニングされる送信デバイスによってブロードキャストされており、複数のモバイルデバイスによって使用されるための段階的測位支援データ（段階的ＰＡＤ）を備える、
前記メッセージから前記段階的ＰＡＤの特定の部分にアクセスすることと、
前記段階的ＰＡＤの前記特定の部分に、少なくとも部分的に、基づいて前記モバイルデバイスによって、少なくとも部分的に、実行される測位機能に影響を与えることと、
を備える方法。
［Ｃ２］
前記段階的ＰＡＤは、少なくとも第１の段階の測位支援データと第２の段階の測位支援データとを備える、前記特定の部分は、少なくとも前記第１の段階の測位支援データを備える、Ｃ１に記載の方法。
［Ｃ３］
前記特定の部分は、前記第２の段階の測位支援データをさらに備える、Ｃ２に記載の方法。
［Ｃ４］
前記段階的ＰＡＤ内では、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、Ｃ２に記載の方法。
［Ｃ５］
前記第１の段階の測位支援データの少なくとも一部分は、（１）前記モバイルデバイスが前記屋内環境内に位置する間前記モバイルデバイスにワイヤレス信号を送信することができる少なくとも１つのワイヤレス信号送信デバイス、および（２）前記少なくとも１つのワイヤレス信号送信デバイスのロケーション、を示している、Ｃ２に記載の方法。
［Ｃ６］
前記第２の段階の測位支援データの少なくとも一部分は、前記屋内環境の少なくとも一部分に対応するワイヤレス信号伝搬関連パラメータを示している、Ｃ２に記載の方法。
［Ｃ７］
前記段階的ＰＡＤは、少なくとも第３の段階の測位支援データをさらに備え、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、Ｃ２に記載の方法。
［Ｃ８］
前記段階的ＰＡＤは、複数の異なる段階の測位支援データを備える、前記特定の部分は、前記複数の異なる段階の測位支援データのうちのどれが前記測位機能に適用されるかに関する決定に、少なくとも部分的に、基づいている、Ｃ１に記載の方法。
［Ｃ９］
前記モバイルデバイスにおいて、
前記メッセージを受信したことに応答して、前記測位機能に対応するワイヤレス信号受信較正プロセスを開始すること、をさらに備える、Ｃ１に記載の方法。
［Ｃ１０］
前記ワイヤレス信号受信較正プロセスは、前記メッセージおよび／または前記送信デバイスによってブロードキャストされる１つもしくは複数の後続の信号に、少なくとも部分的に、基づいている、Ｃ９に記載の方法。
［Ｃ１１］
モバイルデバイスにおいて使用される装置であって、
屋内環境に対応するメッセージを受信するための手段と、前記メッセージは、前記屋内環境内または前記屋内環境からしきい値距離内にプロビジョニングされる送信デバイスによってブロードキャストされており、複数のモバイルデバイスによって使用される段階的測位支援データ（段階的ＰＡＤ）を備える、
前記メッセージから前記段階的ＰＡＤの特定の部分にアクセスするための手段と、
前記段階的ＰＡＤの前記特定の部分に、少なくとも部分的に、基づいて前記モバイルデバイスによって、少なくとも部分的に、実行される測位機能に影響を与えるための手段と、
を備える、装置。
［Ｃ１２］
前記段階的ＰＡＤは、少なくとも第１の段階の測位支援データと第２の段階の測位支援データとを備える、前記特定の部分は、少なくとも前記第１の段階の測位支援データを備える、Ｃ１１に記載の装置。
［Ｃ１３］
前記特定の部分は、前記第２の段階の測位支援データをさらに備える、Ｃ１２に記載の装置。
［Ｃ１４］
前記段階的ＰＡＤ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、Ｃ１２に記載の装置。
［Ｃ１５］
前記第１の段階の測位支援データの少なくとも一部分は、（１）前記モバイルデバイスが前記屋内環境内に位置する間前記モバイルデバイスにワイヤレス信号を送信することができる少なくとも１つのワイヤレス信号送信デバイス、および（２）前記少なくとも１つのワイヤレス信号送信デバイスのロケーション、を示している、Ｃ１２に記載の装置。
［Ｃ１６］
前記第２の段階の測位支援データの少なくとも一部分は、前記屋内環境の少なくとも一部分に対応するワイヤレス信号伝搬関連パラメータを示している、Ｃ１２に記載の装置。
［Ｃ１７］
前記段階的ＰＡＤは、少なくとも第３の段階の測位支援データをさらに備える、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、Ｃ１２に記載の装置。
［Ｃ１８］
前記段階的ＰＡＤは、複数の異なる段階の測位支援データを備える、前記特定の部分は、前記複数の異なる段階の測位支援データのうちのどれが前記測位機能に適用されるかに関する決定に、少なくとも部分的に、基づいている、Ｃ１１に記載の装置。
［Ｃ１９］
前記メッセージを受信したことに応答して、前記測位機能に対応するワイヤレス信号受信較正プロセスを開始するための手段、をさらに備える、Ｃ１１に記載の装置。
［Ｃ２０］
前記ワイヤレス信号受信較正プロセスは、前記メッセージおよび／または前記送信デバイスによってブロードキャストされる１つもしくは複数の後続の信号に、少なくとも部分的に、基づいている、Ｃ１９に記載の装置。
［Ｃ２１］
ネットワークインターフェースユニットと、
前記ネットワークインターフェースユニットを介して屋内環境に対応するメッセージを受信することと、前記メッセージは、前記屋内環境内または前記屋内環境からしきい値距離内にプロビジョニングされ送信デバイスによってブロードキャストされており、複数のモバイルデバイスによって使用される段階的測位支援データ（段階的ＰＡＤ）を備える、
前記メッセージから前記段階的ＰＡＤの特定の部分にアクセスすることと、
前記段階的ＰＡＤの前記特定の部分に、少なくとも部分的に、基づいて前記モバイルデバイスによって、少なくとも部分的に、実行される測位機能に影響を与えることと、
を行う処理ユニットと、
を備える、モバイルデバイス。
［Ｃ２２］
前記段階的ＰＡＤは、少なくとも第１の段階の測位支援データと第２の段階の測位支援データとを備える、前記特定の部分は、少なくとも前記第１の段階の測位支援データを備える、Ｃ２１に記載のモバイルデバイス。
［Ｃ２３］
前記特定の部分は、前記第２の段階の測位支援データをさらに備える、Ｃ２２に記載のモバイルデバイス。
［Ｃ２４］
前記段階的ＰＡＤ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、Ｃ２２に記載のモバイルデバイス。
［Ｃ２５］
前記第１の段階の測位支援データの少なくとも一部分は、（１）前記モバイルデバイスが前記屋内環境内に位置する間前記モバイルデバイスにワイヤレス信号を送信することができる少なくとも１つのワイヤレス信号送信デバイス、および（２）前記少なくとも１つのワイヤレス信号送信デバイスのロケーション、を示している、Ｃ２２に記載のモバイルデバイス。
［Ｃ２６］
前記第２の段階の測位支援データの少なくとも一部分は、前記屋内環境の少なくとも一部分に対応するワイヤレス信号伝搬関連パラメータを示している、Ｃ２２に記載のモバイルデバイス。
［Ｃ２７］
前記段階的ＰＡＤは、少なくとも第３の段階の測位支援データをさらに備える、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、Ｃ２２に記載のモバイルデバイス。
［Ｃ２８］
前記段階的ＰＡＤは、複数の異なる段階の測位支援データを備える、前記特定の部分は、前記複数の異なる段階の測位支援データのうちのどれが前記測位機能に適用されるかに関する決定に、少なくとも部分的に、基づいている、Ｃ２１に記載のモバイルデバイス。
［Ｃ２９］
前記処理ユニットは、さらに、
前記ネットワークインターフェースユニットを介して前記メッセージを受信したことに応答して、前記測位機能に対応するワイヤレス信号受信較正プロセスを開始することを行う、Ｃ２１に記載のモバイルデバイス。
［Ｃ３０］
前記ワイヤレス信号受信較正プロセスは、前記メッセージおよび／または前記送信デバイスによってブロードキャストされる１つもしくは複数の後続の信号に、少なくとも部分的に、基づいている、Ｃ２９に記載のモバイルデバイス。
［Ｃ３１］
屋内環境に対応するメッセージを受信することと、前記メッセージは、前記屋内環境内または前記屋内環境からしきい値距離内にプロビジョニングされる送信デバイスによってブロードキャストされており、複数のモバイルデバイスによって使用される段階的測位支援データ（段階的ＰＡＤ）を備える、
前記メッセージから前記段階的ＰＡＤの特定の部分にアクセスすることと、
前記段階的ＰＡＤの前記特定の部分に、少なくとも部分的に、基づいて前記モバイルデバイスによって、少なくとも部分的に、実行される測位機能に影響を与えることと、
をモバイルデバイスの処理ユニットによって実行可能であるコンピュータ実装可能命令を記憶した非一時的コンピュータ可読媒体、
を備える物品。
［Ｃ３２］
前記段階的ＰＡＤは、少なくとも第１の段階の測位支援データと第２の段階の測位支援データとを備える、前記特定の部分は、少なくとも前記第１の段階の測位支援データを備える、Ｃ３１に記載の物品。
［Ｃ３３］
前記特定の部分は、前記第２の段階の測位支援データをさらに備える、Ｃ３２に記載の物品。
［Ｃ３４］
前記段階的ＰＡＤ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、Ｃ３２に記載の物品。
［Ｃ３５］
前記第１の段階の測位支援データの少なくとも一部分は、（１）前記モバイルデバイスが前記屋内環境内に位置する間前記モバイルデバイスにワイヤレス信号を送信することができる少なくとも１つのワイヤレス信号送信デバイス、および（２）前記少なくとも１つのワイヤレス信号送信デバイスのロケーション、を示している、Ｃ３２に記載の物品。
［Ｃ３６］
前記第２の段階の測位支援データの少なくとも一部分は、前記屋内環境の少なくとも一部分に対応するワイヤレス信号伝搬関連パラメータを示している、Ｃ３２に記載の物品。
［Ｃ３７］
前記段階的ＰＡＤは、少なくとも第３の段階の測位支援データをさらに備える、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、Ｃ３２に記載の物品。
［Ｃ３８］
前記段階的ＰＡＤは、複数の異なる段階の測位支援データを備える、前記特定の部分は、前記複数の異なる段階の測位支援データのうちのどれが前記測位機能に適用されるかに関する決定に、少なくとも部分的に、基づいている、Ｃ３１に記載の物品。
［Ｃ３９］
前記コンピュータ実装可能命令は、前記処理ユニットによって、
前記メッセージを受信したことに応答して、前記測位機能に対応するワイヤレス信号受信較正プロセスを開始すること、をさらに実行可能である、Ｃ３１に記載の物品。
［Ｃ４０］
前記ワイヤレス信号受信較正プロセスは、前記メッセージおよび／または前記送信デバイスによってブロードキャストされる１つもしくは複数の後続の信号に、少なくとも部分的に、基づいている、Ｃ３９に記載の物品。
［Ｃ４１］
コンピューティングプラットフォームにおいて、
屋内環境に対応する段階的測位支援データ（段階的ＰＡＤ）を生成することと、前記段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間少なくとも前記第２のモバイルデバイスの第２の測位機能、に影響を与える第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示し、
前記屋内環境内または前記屋内環境からしきい値距離内にプロビジョニングされた送信デバイスによって第１のモバイルデバイスおよび第２のモバイルデバイスに送信するための前記段階的ＰＡＤを備える、メッセージの少なくとも一部分を生成することと、
を備える方法。
［Ｃ４２］
前記メッセージ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、Ｃ４１に記載の方法。
［Ｃ４３］
前記第１の段階の測位支援データの少なくとも一部分は、（１）前記屋内環境内に位置する前記１つ又は複数のモバイルデバイスにワイヤレス信号を送信することができる少なくとも１つのワイヤレス信号送信デバイス、および（２）前記少なくとも１つのワイヤレス信号送信デバイスのロケーション、を示している、Ｃ４１に記載の方法。
［Ｃ４４］
前記第２の段階の測位支援データの少なくとも一部分は、前記屋内環境の少なくとも一部分に対応するワイヤレス信号伝搬関連パラメータを示している、Ｃ４１に記載の方法。
［Ｃ４５］
前記段階的ＰＡＤは、第３のモバイルデバイスが前記屋内環境に位置する間少なくとも前記第３のモバイルデバイスの第３の測位機能に影響を与える第３の段階の測位支援データをさらに示している、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、Ｃ４１に記載の方法。
［Ｃ４６］
前記コンピューティングプラットフォームにおいて、
前記メッセージの少なくとも前記部分を前記送信デバイスに供給することをさらに備える、Ｃ４１に記載の方法。
［Ｃ４７］
前記送信デバイスは前記コンピューティングプラットフォームを備える、Ｃ４１に記載の方法。
［Ｃ４８］
屋内環境に対応する段階的測位支援データ（段階的ＰＡＤ）を生成するための手段と、前記段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間少なくとも前記第２のモバイルデバイスの第２の測位機能、に影響を与える第１の段階の測位支援データと、
（２）前記第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示している、
前記屋内環境内または前記屋内環境からしきい値距離内にプロビジョニングされた送信デバイスによって第１のモバイルデバイスおよび第２のモバイルデバイスに送信するための前記段階的ＰＡＤを備えるメッセージの少なくとも一部分を生成するための手段と、
を備える装置。
［Ｃ４９］
前記メッセージ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、Ｃ４８に記載の装置。
［Ｃ５０］
前記第１の段階の測位支援データの少なくとも一部分は、（１）前記屋内環境内に位置する１つまたは複数のモバイルデバイスにワイヤレス信号を送信することができる少なくとも１つのワイヤレス信号送信デバイス、および（２）前記少なくとも１つのワイヤレス信号送信デバイスのロケーション、を示している、Ｃ４８に記載の装置。
［Ｃ５１］
前記第２の段階の測位支援データの少なくとも一部分は、前記屋内環境の少なくとも一部分に対応するワイヤレス信号伝搬関連パラメータを示している、Ｃ４８に記載の装置。
［Ｃ５２］
前記段階的ＰＡＤは、第３のモバイルデバイスが前記屋内環境に位置する間少なくとも前記第３のモバイルデバイスの第３の測位機能に影響を与える第３の段階の測位支援データをさらに示している、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、Ｃ４８に記載の装置。
［Ｃ５３］
前記メッセージの少なくとも前記部分を前記送信デバイスに供給するための手段をさらに備える、Ｃ４８に記載の装置。
［Ｃ５４］
前記装置は前記送信デバイス内にプロビジョニングされる、Ｃ４８に記載の装置。
［Ｃ５５］
メモリと、
屋内環境に対応する段階的測位支援データ（段階的ＰＡＤ）を生成することと、前記段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間前記第２のモバイルデバイスの第２の測位機能、に影響を与える第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示している、
前記屋内環境内または前記屋内環境からしきい値距離内にプロビジョニングされた送信デバイスによって第１のモバイルデバイスおよび第２のモバイルデバイスに送信するための前記段階的ＰＡＤを備えるメッセージの少なくとも一部分を生成することと、
を行う、処理ユニットと、
を備える、電子デバイス。
［Ｃ５６］
前記メッセージ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、Ｃ５５に記載の電子デバイス。
［Ｃ５７］
前記第１の段階の測位支援データの少なくとも一部分は、（１）前記屋内環境内に位置する１つまたは複数のモバイルデバイスにワイヤレス信号を送信することができる少なくとも１つのワイヤレス信号送信デバイス、および（２）前記少なくとも１つのワイヤレス信号送信デバイスのロケーション、を示している、Ｃ５５に記載の電子デバイス。
［Ｃ５８］
前記第２の段階の測位支援データの少なくとも一部分は、前記屋内環境の少なくとも一部分に対応するワイヤレス信号伝搬関連パラメータを示している、Ｃ５５に記載の電子デバイス。
［Ｃ５９］
前記段階的ＰＡＤは、第３のモバイルデバイスが前記屋内環境に位置する間少なくとも前記第３のモバイルデバイスの第３の測位機能に影響を与える第３の段階の測位支援データをさらに示している、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、Ｃ５５に記載の電子デバイス。
［Ｃ６０］
ネットワークインターフェースユニットと、
前記ネットワークインターフェースユニットを介して前記送信デバイスに、前記メッセージの前記少なくとも前記部分を送信することをさらに開始する手段の前記処理ユニット、
をさらに備える、Ｃ５５に記載の電子デバイス。
［Ｃ６１］
前記電子デバイスは前記送信デバイス内にプロビジョニングされる、Ｃ５５に記載の電子デバイス。
［Ｃ６２］
屋内環境に対応する段階的測位支援データ（段階的ＰＡＤ）を生成することと、前記段階的ＰＡＤは少なくとも、
（１）第１のモバイルデバイスが前記屋内環境に位置する間少なくとも前記第１のモバイルデバイスの第１の測位機能、および、第２のモバイルデバイスが前記屋内環境に位置する間前記第２のモバイルデバイスの第２の測位機能、に影響を与える第１の段階の測位支援データと、
（２）前記第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示している、
前記屋内環境内または前記屋内環境からしきい値距離内にプロビジョニングされた送信デバイスによって第１のモバイルデバイスおよび第２のモバイルデバイスに送信するための前記段階的ＰＡＤを備えるメッセージの少なくとも一部分を生成することと、
を行うように、電子デバイスの処理ユニットによって実行可能である、コンピュータ実装可能命令を記憶した非一時的コンピュータ可読媒体、
を備える物品。
［Ｃ６３］
前記メッセージ内では、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、Ｃ６２に記載の物品。
［Ｃ６４］
前記第１の段階の測位支援データの少なくとも一部分は、（１）前記屋内環境内に位置する前記１つまたは複数のモバイルデバイスにワイヤレス信号を送信することができる少なくとも１つのワイヤレス信号送信デバイス、および（２）前記少なくとも１つのワイヤレス信号送信デバイスのロケーション、を示している、Ｃ６２に記載の物品。
［Ｃ６５］
前記第２の段階の測位支援データの少なくとも一部分は、前記屋内環境の少なくとも一部分に対応するワイヤレス信号伝搬関連パラメータを示している、Ｃ６２に記載の物品。
［Ｃ６６］
前記段階的ＰＡＤは、第３のモバイルデバイスが前記屋内環境に位置する間少なくとも前記第３のモバイルデバイスの第３の測位機能に影響を与える第３の段階の測位支援データをさらに示しており、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、Ｃ６２に記載の物品。
［Ｃ６７］
前記コンピュータ実装可能命令は、
前記送信デバイスへの前記メッセージの前記少なくとも前記部分の送信を開始することを、前記処理ユニットによって、さらに実行可能である、Ｃ６２に記載の物品。
［Ｃ６８］
前記装置は前記送信デバイス内にプロビジョニングされる、Ｃ６２に記載の物品。
［Ｃ６９］
送信デバイスにおいて、
屋内環境に対応する段階的測位支援データ（段階的ＰＡＤ）を取得することと、前記段階的ＰＡＤは少なくとも、
（１）第１のモバイルデバイスが前記屋内環境に位置する間少なくとも前記第１のモバイルデバイスの第１の測位機能、および、第２のモバイルデバイスが前記屋内環境に位置する間前記第２のモバイルデバイスの第２の測位機能、に影響を与える第１の段階の測位支援データと、
（２）前記第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示している、
前記屋内環境内または前記屋内環境からしきい値距離内の第１のモバイルデバイスおよび第２のモバイルデバイスに前記段階的ＰＡＤを備えるメッセージを送信することと、
を備える方法。
［Ｃ７０］
前記メッセージ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、Ｃ６９に記載の方法。
［Ｃ７１］
前記第１の段階の測位支援データの少なくとも一部分は、（１）前記屋内環境内に位置する１つまたは複数のモバイルデバイスにワイヤレス信号を送信することができる少なくとも１つのワイヤレス信号送信デバイス、および（２）前記少なくとも１つのワイヤレス信号送信デバイスのロケーション、を示している、Ｃ６９に記載の方法。
［Ｃ７２］
前記第２の段階の測位支援データの少なくとも一部分は、前記屋内環境の少なくとも一部分に対応するワイヤレス信号伝搬関連パラメータを示している、Ｃ６９に記載の方法。
［Ｃ７３］
前記段階的ＰＡＤは、第３のモバイルデバイスが前記屋内環境に位置する間少なくとも前記第３のモバイルデバイスの第３の測位機能に影響を与える第３の段階の測位支援データをさらに示している、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、Ｃ６９に記載の方法。
［Ｃ７４］
屋内環境に対応する段階的測位支援データ（段階的ＰＡＤ）を取得するための手段と、前記段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間少なくとも前記第２のモバイルデバイスの第２の測位機能、に影響を与える、第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない、第２の段階の測位支援データと、を示し、
前記屋内環境内または前記屋内環境からしきい値距離内の第１のモバイルデバイスおよび第２のモバイルデバイスに前記段階的ＰＡＤを備えるメッセージを送信するための手段と、
を備える装置。
［Ｃ７５］
メモリと、
送信機と、
前記メモリから段階的測位支援データ（段階的ＰＡＤ）を取得することと、前記段階的ＰＡＤは、屋内環境に対応し、前記段階的ＰＡＤは少なくとも、
（１）第１のモバイルデバイスが屋内環境に位置する間少なくとも前記第１のモバイルデバイスの第１の測位機能、および第２のモバイルデバイスが前記屋内環境に位置する間前記第２のモバイルデバイスの第２の測位機能、に影響を与える、第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない、第２の段階の測位支援データと、を示し、
前記屋内環境内または前記屋内環境からしきい値距離内の第１のモバイルデバイスおよび第２のモバイルデバイスへの、前記送信機を介した、前記段階的ＰＡＤを備えるメッセージの送信を開始することと、
を行う処理ユニットと、
を備える、デバイス。
［Ｃ７６］
屋内環境に対応する段階的測位支援データ（段階的ＰＡＤ）を取得することと、段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間前記第２のモバイルデバイスの第２の測位機能に、影響を与える第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示し、
前記屋内環境内または前記屋内環境からしきい値距離内の第１のモバイルデバイスおよび第２のモバイルデバイスへ前記段階的ＰＡＤを備えるメッセージの送信を開始することと、
をデバイスの処理ユニットによって実行可能なコンピュータ実装可能命令を記憶した非一時的コンピュータ可読媒体を備える物品。